(57)【要約】【課題】電気的な接続路の分岐構造を実現しつつ、簡単な構造のフレキシブルプリント配線板を用いることを可能にする。【解決手段】接続体１は、第１及び第２のプリント基板２Ａ，２Ｂ間及び第１及び第３のプリント基板２Ａ，２Ｃ間を電気的に接続する。接続体１は、第１のプリント基板２Ａに搭載され、両面接点型のフレキシブルプリント配線板用コネクタからなる第１のコネクタ１１Ａと、第２のプリント基板２Ｂに搭載される第２のコネクタ１１Ｂと、第３のプリント基板２Ｃに搭載される第３のコネクタ１１Ｃと、一方の面側に形成され第１のコネクタ１１Ａと第２のコネクタ１１Ｂとの間を電気的に接続する複数の配線パターン、及び、他方の面側に形成され第１のコネクタ１１Ａと前記第３のコネクタ１１Ｃとの間を電気的に接続する複数の配線パターンを、有する両面フレキシブルプリント配線板１２と、を備える。【選択図】図１
2012060041.tif 000002
【特許請求の範囲】
【請求項１】
第１のプリント基板と第２のプリント基板との間及び前記第１のプリント基板と第３のプリント基板との間を電気的に接続する接続体であって、
前記第１のプリント基板に搭載され、両面接点型のフレキシブルプリント配線板用コネクタからなる第１のコネクタと、
前記第２のプリント基板に搭載される第２のコネクタと、
前記第３のプリント基板に搭載される第３のコネクタと、
一方の面側に形成され前記第１のコネクタと前記第２のコネクタとの間を電気的に接続する複数の配線パターン、及び、他方の面側に形成され前記第１のコネクタと前記第３のコネクタとの間を電気的に接続する複数の配線パターンを、有する両面フレキシブルプリント配線板と、
を備えたことを特徴とする接続体。
【請求項２】
前記一方の面側の前記複数の配線パターンのうちの１本以上の配線パターンと、前記他方の面側の前記複数の配線パターンのうちの１本以上の配線パターンとの間の電気的な接続路が、前記第１のコネクタにおいて形成されたことを特徴とする請求項１記載の接続体。
【請求項３】
前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、
前記両面フレキシブルプリント配線板の差し込み部が前記差し込み口へ差し込まれて、前記一方の面側の前記複数の配線パターンが前記複数の第１の端子のいずれかと電気的に接続されるとともに、前記他方の面側の前記複数の配線パターンが前記複数の第２の端子のいずれかと電気的に接続された、
ことを特徴とする請求項１又は２記載の接続体。
【請求項４】
第１のプリント基板と第２のプリント基板との間及び前記第１のプリント基板と第３のプリント基板との間を電気的に接続する接続体であって、
前記第１のプリント基板に搭載され、両面接点型のフレキシブルプリント配線板用コネクタからなる第１のコネクタと、
前記第２のプリント基板に搭載される第２のコネクタと、
前記第３のプリント基板に搭載される第３のコネクタと、
前記第１のコネクタと前記第２のコネクタとの間を電気的に接続する複数の配線パターンを有する第１の片面フレキシブルプリント配線板と、
前記第１のコネクタと前記第３のコネクタとの間を電気的に接続する複数の配線パターンを有する第２の片面フレキシブルプリント配線板と、
を備え、
前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、
前記第１の片面フレキシブルプリント配線板の差し込み部及び前記第２の片面フレキシブルプリント配線板の差し込み部が、重ね合わされて前記差し込み口へ差し込まれて、前記第１の片面フレキシブルプリント配線板の前記複数の配線パターンが前記複数の第１の端子のいずれかと電気的に接続されるとともに、前記第２の片面フレキシブルプリント配線板の前記複数の配線パターンが前記複数の第２の端子のいずれかと電気的に接続された、
ことを特徴とする接続体。
【請求項５】
前記第１の片面フレキシブルプリント配線板の前記複数の配線パターンのうちの１本以上の配線パターンと、前記第２の片面フレキシブルプリント配線板の前記複数の配線パターンのうちの１本以上の配線パターンとの間の電気的な接続路が、前記第１のコネクタにおいて形成されたことを特徴とする請求項４記載の接続体。
【請求項６】
前記第１及び第２のフレキシブルプリント配線板が同一の構造及び形状を有することを特徴とする請求項４又は５記載の接続体。
【請求項７】
前記複数の第１の端子及び前記複数の第２の端子のうち、それらの並設方向の中央部に配置された第１及び第２の端子には、前記第１の片面フレキシブルプリント配線板の前記複数の配線パターンのうちの一部の配線パターン及び前記第２の片面フレキシブルプリント配線板の前記複数の配線パターンのうちの一部の配線パターンが電気的に接続され、
前記複数の第１の端子のうちその並設方向の一端部側に配置された第１の端子には、前記第１の片面フレキシブルプリント配線板の前記複数の配線パターンのうちの残りの配線パターンが電気的に接続される一方で、前記複数の第２の端子のうちその並設方向の前記一端部側に配置された第２の端子には、前記第２の片面フレキシブルプリント配線板の前記複数の配線パターンが電気的に接続されず、
前記複数の第１の端子のうちその並設方向の他端部側に配置された第１の端子には、前記第１の片面フレキシブルプリント配線板の前記複数の配線パターンが電気的に接続されない一方で、前記複数の第２の端子のうちその並設方向の前記他端部側に配置された第２の端子には、前記第２の片面フレキシブルプリント配線板の前記複数の配線パターンのうちの残りの配線パターンが電気的に接続された、
ことを特徴とする請求項４乃至６のいずれかに記載の接続体。
【発明の詳細な説明】
【技術分野】
【０００１】
本発明は、第１のプリント基板と第２のプリント基板との間及び前記第１のプリント基板と第３のプリント基板との間を電気的に接続する接続体に関するものである。
【背景技術】
【０００２】
従来から、前述したような接続体において、例えば第１のプリント基板から同じ信号（共通信号）を第２及び第３のプリント基板に伝達し得るように、電気的な接続路の分岐構造を持つように構成された接続体が提供されている（例えば、下記特許文献１）。
【０００３】
特許文献１に開示された接続体では、３つのコネクタ間をフレキシブルプリント配線板で接続している。このフレキシブルプリント配線板には、複数の幹配線とそれらから分岐した複数の分岐配線とが形成され、それらの配線の配置と切れ目の配置とを工夫することで、電気的な接続路の分岐構造を実現している。
【先行技術文献】
【特許文献】
【０００４】
【特許文献１】特開平９−５５１２９号公報の図８乃至図１０
【発明の概要】
【発明が解決しようとする課題】
【０００５】
しかしながら、前記特許文献１に開示された接続体では、前記フレキシブルプリント配線板上の幹配線、分岐配線及び切れ目の配置が非常に困難であり、前記フレキシブルプリント配線板の構造が複雑となる。
【０００６】
本発明は、このような事情に鑑みてなされたもので、電気的な接続路の分岐構造を実現しつつ、簡単な構造のフレキシブルプリント配線板を用いることができる接続体を提供することを目的とする。
【課題を解決するための手段】
【０００７】
前記課題を解決するための手段として、以下の各態様を提示する。第１の態様による接続体は、第１のプリント基板と第２のプリント基板との間及び前記第１のプリント基板と第３のプリント基板との間を電気的に接続する接続体であって、前記第１のプリント基板に搭載され、両面接点型のフレキシブルプリント配線板用コネクタからなる第１のコネクタと、前記第２のプリント基板に搭載される第２のコネクタと、前記第３のプリント基板に搭載される第３のコネクタと、一方の面側に形成され前記第１のコネクタと前記第２のコネクタとの間を電気的に接続する複数の配線パターン、及び、他方の面側に形成され前記第１のコネクタと前記第３のコネクタとの間を電気的に接続する複数の配線パターンを、有する両面フレキシブルプリント配線板と、を備えたものである。
【０００８】
第２の態様による接続体は、前記第１の態様において、前記一方の面側の前記複数の配線パターンのうちの１本以上の配線パターンと、前記他方の面側の前記複数の配線パターンのうちの１本以上の配線パターンとの間の電気的な接続路が、前記第１のコネクタにおいて形成されものである。
【０００９】
第３の態様による接続体は、（i）前記第１又は第２の態様において、前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、（ii）前記両面フレキシブルプリント配線板の差し込み部が前記差し込み口へ差し込まれて、前記一方の面側の前記複数の配線パターンが前記複数の第１の端子のいずれかと電気的に接続されるとともに、前記他方の面側の前記複数の配線パターンが前記複数の第２の端子のいずれかと電気的に接続されたものである。
【００１０】
第４の態様による接続体は、第１のプリント基板と第２のプリント基板との間及び前記第１のプリント基板と第３のプリント基板との間を電気的に接続する接続体であって、前記第１のプリント基板に搭載され、両面接点型のフレキシブルプリント配線板用コネクタからなる第１のコネクタと、前記第２のプリント基板に搭載される第２のコネクタと、前記第３のプリント基板に搭載される第３のコネクタと、前記第１のコネクタと前記第２のコネクタとの間を電気的に接続する複数の配線パターンを有する第１の片面フレキシブルプリント配線板と、前記第１のコネクタと前記第３のコネクタとの間を電気的に接続する複数の配線パターンを有する第２の片面フレキシブルプリント配線板と、を備えたものである。前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有する。前記第１の片面フレキシブルプリント配線板の差し込み部及び前記第２の片面フレキシブルプリント配線板の差し込み部が、重ね合わされて前記差し込み口へ差し込まれて、前記第１の片面フレキシブルプリント配線板の前記複数の配線パターンが前記複数の第１の端子のいずれかと電気的に接続されるとともに、前記第２の片面フレキシブルプリント配線板の前記複数の配線パターンが前記複数の第２の端子のいずれかと電気的に接続される。
【００１１】
第５の態様による接続体は、前記第４の態様において、前記第１の片面フレキシブルプリント配線板の前記複数の配線パターンのうちの１本以上の配線パターンと、前記第２の片面フレキシブルプリント配線板の前記複数の配線パターンのうちの１本以上の配線パターンとの間の電気的な接続路が、前記第１のコネクタにおいて形成されたものである。
【００１２】
第６の態様による接続体は、前記第４又は第５の態様において、前記第１及び第２のフレキシブルプリント配線板が同一の構造及び形状を有するものである。
【００１３】
第７の態様による接続体は、前記第４乃至第６のいずれかの態様において、（i）前記複数の第１の端子及び前記複数の第２の端子のうち、それらの並設方向の中央部に配置された第１及び第２の端子には、前記第１の片面フレキシブルプリント配線板の前記複数の配線パターンのうちの一部の配線パターン及び前記第２の片面フレキシブルプリント配線板の前記複数の配線パターンのうちの一部の配線パターンが電気的に接続され、（ii）前記複数の第１の端子のうちその並設方向の一端部側に配置された第１の端子には、前記第１の片面フレキシブルプリント配線板の前記複数の配線パターンのうちの残りの配線パターンが電気的に接続される一方で、前記複数の第２の端子のうちその並設方向の前記一端部側に配置された第２の端子には、前記第２の片面フレキシブルプリント配線板の前記複数の配線パターンが電気的に接続されず、（iii）前記複数の第１の端子のうちその並設方向の他端部側に配置された第１の端子には、前記第１の片面フレキシブルプリント配線板の前記複数の配線パターンが電気的に接続されない一方で、前記複数の第２の端子のうちその並設方向の前記他端部側に配置された第２の端子には、前記第２の片面フレキシブルプリント配線板の前記複数の配線パターンのうちの残りの配線パターンが電気的に接続されたものである。
【発明の効果】
【００１４】
本発明によれば、電気的な接続路の分岐構造を実現しつつ、簡単な構造のフレキシブルプリント配線板を用いることができる接続体を提供することができる。
【図面の簡単な説明】
【００１５】
【図１】本発明の第１の実施の形態による接続体を示す概略平面図である。
【図２】図１中の両面フレキシブルプリント配線板の表側の配線パターン等を示す概略平面図である。
【図３】図１中の両面フレキシブルプリント配線板の裏側の配線パターン等を示す概略平面図である。
【図４】図１中の両面フレキシブルプリント配線板の差し込み部を両面接点型のフレキシブルプリント配線板用コネクタへ差し込む様子を示す概略斜視図である。
【図５】図１中のＡ−Ａ’線に沿った概略断面図である。
【図６】図１中のＢ−Ｂ’線に沿った概略断面図である。
【図７】図１中のＣ−Ｃ’線に沿った概略断面図である。
【図８】図１中のＤ−Ｄ’線に沿った概略断面図である。
【図９】本発明の第２の実施の形態による接続体を示す概略平面図である。
【図１０】図９中の第１の片面フレキシブルプリント配線板の表側の配線パターン等を示す概略平面図である。
【図１１】図９中の第２の片面フレキシブルプリント配線板の裏側の配線パターン等を示す概略平面図である。
【図１２】図９中のＥ−Ｅ’線に沿った概略断面図である。
【図１３】図９中のＦ−Ｆ’線に沿った概略断面図である。
【図１４】図９中のＧ−Ｇ’線に沿った概略断面図である。
【図１５】図９中のＨ−Ｈ’線に沿った概略断面図である。
【図１６】図９中のＪ−Ｊ’線に沿った概略断面図である。
【図１７】図９中のＫ−Ｋ’線に沿った概略断面図である。
【発明を実施するための形態】
【００１６】
以下、本発明による接続体について、図面を参照して説明する。以下の説明では、フレキシブルプリント配線板を「ＦＰＣ」という。
【００１７】
［第１の実施の形態］
図１は、本発明の第１の実施の形態による接続体１を示す概略平面図であり、接続体１を表側から見た図である。
【００１８】
本実施の形態による接続体１は、第１のプリント基板２Ａと第２のプリント基板２Ｂとの間及び前記第１のプリント基板２Ａと第３のプリント基板２Ｃとの間を電気的に接続する。図面には示していないが、例えば、第２及び第３のプリント基板２Ｂ，２Ｃには、同じ構成のセンサ又はアクチュエータ等が搭載され、第１のプリント基板２Ａにはそのセンサ又はアクチュエータ等を制御又は駆動等する回路が搭載される。
【００１９】
本実施の形態による接続体１は、第１のプリント基板２Ａに搭載される第１のコネクタ１１Ａと、第２のプリント基板２Ｂに搭載される第２のコネクタ１１Ｂと、第３のプリント基板２Ｃに搭載される第３のコネクタ１１Ｃと、両面ＦＰＣ１２とを備えている。
【００２０】
本実施の形態では、両面ＦＰＣ１２は、平面視で略Ｙ字状に形成され、その３つの先端部にそれぞれ、コネクタ１１Ａ〜１１Ｃの差し込み口４０，５０，６０（図６乃至図８参照）に差し込まれる差し込み部１２Ａ〜１２Ｃを有している。
【００２１】
図２は、図１中の両面ＦＰＣ１２の表側の配線パターン３１Ｕ〜３４Ｕ、端子３１Ｕａ〜３５Ｕａ，３１Ｕｂ〜３５Ｕｂ及びカバーフィルム３６を示す概略平面図であり、それらを表側から見た図である。図３は、図１中の両面ＦＰＣ１２の裏側の配線パターン３２Ｄ〜３５Ｄ、端子３１Ｄａ〜３５Ｄａ，３１Ｄｃ〜３５Ｄｃ及びカバーフィルム３７を示す概略平面図であり、それらを表側から見た図である。図２及び図３では、本来、隠れ線（破線）となるべき箇所も実線で示している。
【００２２】
図４は、図１中の両面ＦＰＣ１２の差し込み部１２Ａを第１のコネクタ１１Ａへ差し込む様子を示す概略斜視図である。図５は、図１中のＡ−Ａ’線に沿った概略断面図である。図６は、図１中のＢ−Ｂ’線に沿った概略断面図である。図７は、図１中のＣ−Ｃ’線に沿った概略断面図である。図８は、図１中のＤ−Ｄ’線に沿った概略断面図である。なお、図４及び図６乃至図８は、コネクタ１１Ａ〜１１Ｃの構造を大幅に簡略化して模式的に示している。
【００２３】
両面ＦＰＣ１２は、絶縁材料からなる可撓性のベースフィルム３０と、ベースフィルム３０の表面に形成された銅箔等の導体パターンからなる配線パターン３１Ｕ〜３４Ｕ及び端子３１Ｕａ〜３５Ｕａ，３１Ｕｂ〜３５Ｕｂと、差し込み部１２Ａ，１２Ｂ以外の領域のベースフィルム３０及び配線パターン３１Ｕ〜３４Ｕを表側から覆う絶縁材料からなるカバーフィルム３６と、ベースフィルム３０の裏面に形成された銅箔等の導体パターンからなる配線パターン３２Ｄ〜３５Ｄ及び端子３１Ｄａ〜３５Ｄａ，３１Ｄｃ〜３５Ｄｃと、差し込み部１２Ａ，１２Ｃ以外の領域のベースフィルム３０及び配線パターン３２Ｄ〜３５Ｄを裏側から覆う絶縁材料からなるカバーフィルム３７とから構成されている。
【００２４】
端子３１Ｕａ〜３５Ｕａは差し込み部１２Ａにおいて並設され、端子３１Ｕｂ〜３５Ｕｂは差し込み部１２Ｂにおいて並設されている。図２に示すように、各端子３１Ｕａ〜３４Ｕａは、各配線パターン３１Ｕ〜３４Ｕの、カバーフィルム３６で覆われていない一方端部である。各端子３１Ｕｂ〜３４Ｕｂは、各配線パターン３１Ｕ〜３４Ｕの、カバーフィルム３６で覆われていない他方端部である。配線パターン３１Ｕ〜３４Ｕは、第１のコネクタ１１Ａと第２のコネクタ１１Ｂとの間を電気的に接続するようになっている。端子３５Ｕａ，３５Ｕｂは、配線パターンが接続されていないダミー端子である。
【００２５】
端子３１Ｄａ〜３５Ｄａは差し込み部１２Ａにおいて並設され、端子３１Ｄｃ〜３５Ｄｃは差し込み部１２Ｃにおいて並設されている。端子３１Ｄａ〜３５Ｄａはそれぞれ、端子３１Ｕａ〜３５Ｕａとベースフィルム３０の表裏の相対する位置に配置されている。図３に示すように、各端子３２Ｄａ〜３５Ｄａは、各配線パターン３２Ｄ〜３５Ｄの、カバーフィルム３７で覆われていない一方端部である。各端子３２Ｄｃ〜３５Ｄｃは、各配線パターン３２Ｄ〜３５Ｄの、カバーフィルム３７で覆われていない他方端部である。配線パターン３２Ｄ〜３５Ｄは、第１のコネクタ１１Ａと第３のコネクタ１１Ｃとの間を電気的に接続するようになっている。端子３１Ｄａ，３１Ｄｃは、配線パターンが接続されていないダミー端子である。
【００２６】
第１のコネクタ１１Ａは、両面接点型のＦＰＣ用コネクタである。図４及び図６に示すように、第１のコネクタ１１Ａは、ＦＰＣ用差し込み口４０と、差し込み口４０内の図６中の上側に図６中左右方向に並設された第１の端子（接点）４１Ｕ〜４５Ｕと、差し込み口４０内の図６中の下側において第１の端子４１Ｕ〜４５Ｕとそれぞれ対向するように並設された第２の端子４１Ｄ〜４５Ｄ（接点）と、を有している。第１の端子４１Ｕ〜４５Ｕと第２の端子４１Ｄ〜４５Ｄとは、それぞれ対向するもの同士がコネクタ１１Ａの内部で電気的に接続されている。図面には示していないが、第１のコネクタ１１Ａは第１のプリント基板２Ａに接続される複数の端子を有し、それらの端子は、コネクタ１１Ａの内部で、対応する第１及び第２の端子に電気的に接続されている。例えば、第１のコネクタ１１Ａのある１つのプリント基板用端子は、第１の端子４３Ｕ及び第２の端子４３Ｄに電気的に接続されている。このような両面接点型のＦＰＣ用コネクタとしては、例えば、市販されているコネクタを用いることができる。
【００２７】
両面ＦＰＣ１２の差し込み部１２Ａが差し込み口４０へ差し込まれて、図６に示すように、差し込み部１２Ａの端子３１Ｕａ〜３５Ｕａが第１のコネクタ１１Ａの第１の端子４１Ｕ〜４５Ｕとそれぞれ接触して電気的に接続されるとともに、差し込み部１２Ａの端子３１Ｄａ〜３５Ｄａが第１のコネクタ１１Ａの第２の端子４１Ｄ〜４５Ｄとそれぞれ接触して電気的に接続されている。これにより、両面ＦＰＣ１２の表側の配線パターン３１Ｕ〜３４Ｕが第１の端子４１Ｕ〜４４Ｕとそれぞれ電気的に接続されるとともに、裏側の配線パターン３２Ｄ〜３５Ｄが第２の端子４２Ｄ〜４５Ｄとそれぞれ電気的に接続されている。
【００２８】
第２のコネクタ１１Ｂは、図７に示すように、片面接点型のＦＰＣ用コネクタである。第２のコネクタ１１Ｂは、ＦＰＣ用差し込み口５０と、差し込み口５０内の図７中の上側に図７中左右方向に並設された端子（接点）５１Ｕ〜５５Ｕと、を有している。図面には示していないが、第２のコネクタ１１Ｂは第２のプリント基板２Ｂに接続される複数の端子を有し、それらの端子は、コネクタ１１Ｂの内部で、対応する端子５１Ｕ〜５５Ｕに電気的に接続されている。両面ＦＰＣ１２の差し込み部１２Ｂが差し込み口５０へ差し込まれて、図７に示すように、差し込み部１２Ｂの端子３１Ｕｂ〜３５Ｕｂが第２のコネクタ１１Ｂの端子５１Ｕ〜５５Ｕとそれぞれ接触して電気的に接続されている。これにより、両面ＦＰＣ１２の表側の配線パターン３１Ｕ〜３４Ｕが端子５１Ｕ〜５４Ｕとそれぞれ電気的に接続されている。
【００２９】
第３のコネクタ１１Ｃは、図８に示すように、片面接点型のＦＰＣ用コネクタである。第３のコネクタ１１Ｃは、ＦＰＣ用差し込み口６０と、差し込み口６０内の図８中の下側に図８中左右方向に並設された端子（接点）６１Ｄ〜６５Ｄと、を有している。図面には示していないが、第３のコネクタ１１Ｃは第３のプリント基板２Ｃに接続される複数の端子を有し、それらの端子は、コネクタ１１Ｃの内部で、対応する端子６１Ｄ〜６５Ｄに電気的に接続されている。両面ＦＰＣ１２の差し込み部１２Ｃが差し込み口６０へ差し込まれて、図８に示すように、差し込み部１２Ｃの端子３１Ｄｃ〜３５Ｄｃが第３のコネクタ１１Ｃの端子６１Ｄ〜６５Ｄとそれぞれ接触して電気的に接続されている。これにより、両面ＦＰＣ１２の裏側の配線パターン３２Ｄ〜３５Ｄが端子６１Ｄ〜６４Ｄとそれぞれ電気的に接続されている。
【００３０】
なお、第２及び第３のコネクタ１１Ｂ，１１Ｃとしては、例えば、市販されているコネクタを用いることができる。また、第２及び第３のコネクタ１１Ｂ，１１Ｃとして、第１のコネクタ１１Ａと同様の両面接点型のＦＰＣ用コネクタを用いてもよい。
【００３１】
以上の説明からわかるように、本実施の形態では、両面ＦＰＣ１２の表側の各配線パターン３２Ｕ〜３４Ｕと、裏側の各配線パターン３２Ｕ〜３４Ｕとの間の電気的な接続路が、第１のコネクタ１１Ａにおいて形成されている。したがって、本実施の形態によれば、第１のプリント基板２Ａから３つの共通信号を、表側の３本の配線パターン３２Ｕ〜３４Ｕを経由して第２のプリント基板２Ｂへ伝達することができると同時に、裏側の配線パターン３２Ｄ〜３４Ｄを経由して第３のプリント基板２Ｃへ伝達することができる。また、第１のプリント基板２Ａから１つの独自の個別信号を、表側の配線パターン３１Ｕを経由して第２のプリント基板２Ｂへ伝達することができる。さらに、第１のプリント基板２Ａから１つの独自の個別信号を、裏側の配線パターン３５Ｄを経由して第３のプリント基板２Ｃへ伝達することができる。なお、本発明では、共通信号を伝達するための表側及び裏側の配線パターンの本数は１本以上であればよい。また、個別信号を伝達するための表側又は裏側の配線パターンの本数は１本以上でもよいし、その配線パターンを全く設けずに、共通信号のみを伝達するようにしてもよい。
【００３２】
本実施の形態によれば、第１のコネクタ１１Ａとして両面接点型のＦＰＣ用コネクタが用いられ、このコネクタ１１Ａを分岐点とし利用した電気的な接続路の分岐構造が実現されている。したがって、両面ＦＰＣ１２には、分岐後の配線パターン３１Ｕ〜３４Ｕ，３２Ｄ〜３５Ｄのみを形成するだけで済み、前述した特許文献１に開示された接続体で採用されているような切れ目や幹配線をＦＰＣに形成する必要がなくなる。このため、本実施の形態によれば、電気的な接続路の分岐構造を実現しつつ、簡単な構造のＦＰＣ１２を用いることができる。
【００３３】
また、本実施の形態による接続体１は、以下に説明する第１乃至第３の比較例による接続体と比較して、次のような利点を有する。
【００３４】
第１の比較例による接続体は、本実施の形態による接続体１を次のように改変したものである。第１の比較例では、両面ＦＰＣ１２の裏側の配線パターン３２Ｄ〜３５Ｄを表側に配置することで、両面ＦＰＣ１２を片面ＦＰＣとする。そして、差し込み部１２Ａ及びその付近の部分のＦＰＣ１２の図１中の左右方向の幅をほぼ倍にして、配線パターン３２Ｄ〜３５Ｄが配線パターン３１Ｕ〜３４Ｕと干渉せずに並ぶように配置する。これに応じて、第１のコネクタ１１Ａとして、本実施の形態で第１のコネクタ１１Ａとして用いられている両面接点型のＦＰＣ用コネクタと比べてほぼ倍のコネクタ幅及びコネクタ芯数を有する片面接点型のＦＰＣ用コネクタを、用いる。配線パターン３２Ｄ〜３５Ｄを表側に配置することに伴い、第３のコネクタ１１Ｃとして、第２のコネクタ１１Ｂと同じ片面接点型のＦＰＣ用コネクタを用いる。そして、第１のプリント基板２Ａ上に共通信号の分岐点を設けることで、同じ信号が配線パターン３１Ｕ〜３４Ｕ用のコネクタ端子及びこれに対応する配線パターン３２Ｄ〜３５Ｄに供給されるように、第１のコネクタ１１Ａ上の配線パターン等を形成する。
【００３５】
本実施の形態によれば、この第１の比較例に比べて、ＦＰＣ１２の差し込み部１２Ａ及びその付近の部分のＦＰＣ１２の図１中の左右方向の幅がほぼ半分ですむとともに、ＦＰＣ用コネクタ１２の幅及びコネクタ芯数がほぼ半分ですむため、小型化及びコストダウンを図ることができる。
【００３６】
第２の比較例による接続体は、本実施の形態による接続体１を次のように改変したものである。第２の比較例では、両面ＦＰＣ１２を、表側に配線パターン３１Ｕ〜３４Ｕを配置した片面接点型の第１のＦＰＣと、表側に配線パターン３２Ｄ〜３５Ｄを配置した片面接点型の第２のＦＰＣとに分ける。これに伴い、第１のコネクタ１１Ａに代えて、前記第１のＦＰＣの配線パターン３１Ｕ〜３４Ｕを第１のプリント基板２Ａに接続する第４のコネクタ、及び、前記第２のＦＰＣの配線パターン３２Ｄ〜３２Ｄを第１のプリント基板２Ａに接続する第５のコネクタを、第１のプリント基板２Ａに搭載する。第３のコネクタ１１Ｃ並びに前記第４及び第５のコネクタとして、第２のコネクタ１１Ｂと同じ片面接点型のＦＰＣ用コネクタをそれぞれ用いる。そして、第１のプリント基板２Ａ上に共通信号の分岐点を設けることで、同じ信号が配線パターン３１Ｕ〜３４Ｕ用のコネクタ端子及びこれに対応する配線パターン３２Ｄ〜３５Ｄに供給されるように、第１のコネクタ１１Ａ上の配線パターン等を形成する。
【００３７】
本実施の形態によれば、この第２の比較例に比べて、２つのコネクタ（前記第４及び第５のコネクタ）に代えて１つのコネクタ（第１のコネクタ１１Ａ）で済むとともに、２つのＦＰＣ（前記第１及び第２のＦＰＣ）に代えて１つのＦＰＣ（両面ＦＰＣ１２）で済むため、小型化及びコストダウンを図ることができる。
【００３８】
第３の比較例による接続体は、本実施の形態による接続体１を次のように改変したものである。第３の比較例では、第１のコネクタ１１Ａとして、両面接点型のＦＰＣ用コネクタに代えて、第２のコネクタ１１Ｂと同じ片面接点型のＦＰＣ用コネクタを用いる。そして、両面ＦＰＣ１２の配線パターン３２Ｕ〜３４Ｕの途中にスルーホールを設け、配線パターン３２Ｄ〜３４Ｄの差し込み部１２Ｃとは反対側の部分をこれらのスルーホールにそれぞれ接続する。また、更にスルーホールを追加し、このスルーホールに配線パターン３５Ｄの差し込み部１２Ｃとは反対側の部分を接続するととともに、このスルーホールを、両面ＦＰＣ１２の表側に追加した配線パターンで第２のコネクタ１１Ｂの所定端子に接続する。この第３の比較例では、配線パターン３２Ｕ〜３４Ｕの途中に設けられたスルーホールが電気的な接続路の分岐点となる。
【００３９】
この第３の比較例では、両面ＦＰＣ１２にスルーホールが設けられるので、スルーホールの大きさに応じて両面ＦＰＣ１２が大型化してしまう。また、両面ＦＰＣ１２においてスルーホールを設けた箇所では、屈曲性が損なわれてしまう。これに対し、本実施の形態によれば、両面ＦＰＣ１２にスルーホールが形成されていないので、両面ＦＰＣ１２の小型化を図ることができるとともに、両面ＦＰＣ１２の屈曲性を損なうことがない。
【００４０】
［第２の実施の形態］
図９は、本発明の第２の実施の形態による接続体１０１を示す概略平面図であり、接続体１０１を表側から見た図である。図１０は、図９中の第１の片面ＦＰＣ７２の表側の配線パターン３１Ｕ〜３４Ｕ、端子３１Ｕａ〜３５Ｕａ，３１Ｕｂ〜３５Ｕｂ及びカバーフィルム３６を示す概略平面図であり、それらを表側から見た図である。図１１は、図９中の第２の片面ＦＰＣ８２の裏側の配線パターン３２Ｄ〜３５Ｄ、端子３１Ｄａ〜３５Ｕａ，３１Ｄｃ〜３５Ｄｃ及びカバーフィルム３７を示す概略平面図であり、それらを表側から見た図である。図１２は、図９中のＥ−Ｅ’線に沿った概略断面図である。図１３は、図９中のＦ−Ｆ’線に沿った概略断面図である。図１４は、図９中のＧ−Ｇ’線に沿った概略断面図である。図１５は、図９中のＨ−Ｈ’線に沿った概略断面図である。図１６は、図９中のＪ−Ｊ’線に沿った概略断面図である。図１７は、図９中のＫ−Ｋ’線に沿った概略断面図である。
【００４１】
図９乃至図１７において、図１乃至図８中の要素と同一又は対応する要素には同一符号を付し、その重複する説明は省略する。
【００４２】
本実施の形態による接続体１０１が前記第１の実施の形態による接続体１と異なる所は、基本的に、両面ＦＰＣ１２に代えて、第１及び第２の片面ＦＰＣ７２，８２が用いられている点のみである。
【００４３】
第１の片面ＦＰＣ７２は、平面視でクランク状に構成され、その両端部にそれぞれ、コネクタ１１Ａ，１１Ｂの差し込み口４０，５０に差し込まれる差し込み部７２Ａ，７２Ｂを有している。第１の片面ＦＰＣ７２は、ベースフィルム１３０と、ベースフィルム１３０の表面に形成された配線パターン３１Ｕ〜３４Ｕ及び端子３１Ｕａ〜３５Ｕａ，３１Ｕｂ〜３５Ｕｂと、差し込み部７２Ａ，７２Ｂ以外の領域のベースフィルム１３０及び配線パターン３１Ｕ〜３４Ｕを表側から覆うカバーフィルム３６とから構成されている。
【００４４】
第２の片面ＦＰＣ８２は、平面視でクランク状に構成され、その両端部にそれぞれ、コネクタ１１Ａ，１１Ｃの差し込み口４０，６０に差し込まれる差し込み部８２Ａ，８２Ｃを有している。第２の片面ＦＰＣ８２は、ベースフィルム２３０と、ベースフィルム２３０の裏面に形成された配線パターン３２Ｄ〜３５Ｄ及び端子３１Ｄａ〜３５Ｄａ，３１Ｄｃ〜３５Ｄｃと、差し込み部８２Ａ，８２Ｃ以外の領域のベースフィルム２３０及び配線パターン３１Ｕ〜３４Ｕを裏側から覆うカバーフィルム３７とから構成されている。
【００４５】
図１０乃至図１３等からわかるように、本実施の形態では、第１の片面ＦＰＣ７２と第２の片面ＦＰＣ８２とは、表裏の配置が逆になっているだけで、両者は同一の構造及び形状を有している。
【００４６】
本実施の形態では、第１の片面ＦＰＣ７２の差し込み部７２Ａ及び第２の片面ＦＰＣ８２の差し込み部８２Ａが、重ね合わされて第１のコネクタ１１Ａの差し込み口４０へ差し込まれて、図１５に示すように、差し込み部７２Ａの端子３１Ｕａ〜３５Ｕａが第１のコネクタ１１Ａの第１の端子４１Ｕ〜４５Ｕとそれぞれ接触して電気的に接続されるとともに、差し込み部８２Ａの端子３１Ｄａ〜３５Ｄａが第１のコネクタ１１Ａの第２の端子４１Ｄ〜４５Ｄとそれぞれ接触して電気的に接続されている。これにより、第１の片面ＦＰＣ７２の表側の配線パターン３１Ｕ〜３４Ｕが第１の端子４１Ｕ〜４４Ｕとそれぞれ電気的に接続されるとともに、第２の片面ＦＰＣ８２の裏側の配線パターン３２Ｄ〜３５Ｄが第２の端子４２Ｄ〜４５Ｄとそれぞれ電気的に接続されている。なお、本実施の形態では、第１及び第２の片面ＦＰＣ７２，８２間は何ら接着されていない。
【００４７】
本実施の形態では、第１の端子４１Ｕ〜４５Ｕ及び第２の端子４１Ｄ〜４５Ｄのうち、それらの並設方向の中央部に配置された第１及び第２の端子４２Ｕ〜４４Ｕ，４２Ｄ〜４４Ｄには、第１の片面ＦＰＣ７２の配線パターン３１Ｕ〜３４Ｕのうちの一部の配線パターン３２Ｕ〜３４Ｕ及び第２の片面ＦＰＣ８２の配線パターン３２Ｄ〜３５Ｄのうちの一部の配線パターン３２Ｄ〜３４Ｄが電気的に接続されている。第１の端子４１Ｕ〜４５Ｕのうちその並設方向の一端部側に配置された第１の端子４１Ｕには、第１の片面ＦＰＣ７２の配線パターン３１Ｕ〜３４Ｕのうちの残りの配線パターン３１Ｕが電気的に接続される一方で、第２の端子４１Ｄ〜４５Ｄのうちその並設方向の前記一端部側に配置された第２の端子４１Ｄには、第２の片面ＦＰＣ８２の配線パターン３２Ｄ〜３５Ｄが電気的に接続されていない。第１の端子４１Ｕ〜４５Ｕのうちのうちその並設方向の他端部側に配置された第１の端子４５Ｕには、第１の片面ＦＰＣ７２の配線パターン３１Ｕ〜３４Ｕが電気的に接続されない一方で、第２の端子４１Ｄ〜４５Ｄのうちその並設方向の前記他端部側に配置された第２の端子４５Ｄには、第２の片面ＦＰＣ８２の配線パターン３２Ｄ〜３５Ｄのうちの残りの配線パターン３５Ｄが電気的に接続されている。本実施の形態では、これらによって、第１及び第２の片面ＦＰＣ７２，８２が同一の構造及び形状を有することが可能になっている。
【００４８】
本実施の形態によっても、前記第１の実施の形態と同様の利点が得られる。また、本実施の形態では、第１及び第２の片面ＦＰＣ７２，８２が同一の構造及び形状を有しているので、用意すべき片面接点型のＦＰＣの種類が１種類で済み、コストダウンを図ることができる。もっとも、本発明では、第１及び第２の片面ＦＰＣ７２，８２は、必ずしも同一の構造及び形状を有していなくてもよい。
【００４９】
以上、本発明の各実施の形態について説明したが、本発明はこれらの実施の形態に限定されるものではない。
【符号の説明】
【００５０】
１，１０１  接続体
２Ａ  第１のプリント基板
２Ｂ  第２のプリント基板
２Ｃ  第３のプリント基板
１１Ａ  第１のコネクタ
１１Ｂ  第２のコネクタ
１１Ｃ  第３のコネクタ
１２  両面ＦＰＣ
３１Ｕ〜３４Ｕ，３２Ｄ〜３５Ｄ  配線パターン
４０，５０，６０  差し込み口
４１Ｕ〜４５Ｕ  第１の端子
４１Ｄ〜４５Ｄ  第２の端子
７２  第１の片面ＦＰＣ
８２  第２の片面ＦＰＣ
【図１】
2012060041.tif 000003
【図２】
2012060041.tif 000004
【図３】
2012060041.tif 000005
【図４】
2012060041.tif 000006
【図５】
2012060041.tif 000007
【図６】
2012060041.tif 000008
【図７】
2012060041.tif 000009
【図８】
2012060041.tif 000010
【図９】
2012060041.tif 000011
【図１０】
2012060041.tif 000012
【図１１】
2012060041.tif 000013
【図１２】
2012060041.tif 000014
【図１３】
2012060041.tif 000015
【図１４】
2012060041.tif 000016
【図１５】
2012060041.tif 000017
【図１６】
2012060041.tif 000018
【図１７】
2012060041.tif 000019